(57)【特許請求の範囲】
【請求項１】
風車翼を取り付けたロータヘッドに連結されている駆動・発電機構が、壁面部材が強化繊維プラスチック製であるナセル内に収納設置されている風力発電装置において、
太陽光を受けるナセル外壁面の天井部に、中空セラミックビーズ又は高反射率顔料の少なくとも一方を混ぜて、７８０ｎｍ〜２５００ｎｍの近赤外域で反射率を高めた高反射率塗料を塗布した天井部の過半を覆う反射板が、天井面から離して取り付けられていることを特徴とする風力発電装置。
【請求項２】
前記反射板は、繊維強化プラスチックで形成され、該繊維強化プラスチック層に反射材の層を設けることを特徴とする請求項１に記載の風力発電装置。
【発明の詳細な説明】
【技術分野】
【０００１】
本発明は、風車翼に風力を受けて発電する風力発電装置に係り、特に、風力発電装置のナセル内に対する入熱量を抑制する技術に関する。
【背景技術】
【０００２】
風力発電装置（以下では「風車」とも呼ぶ）は、風車翼を備えたロータヘッドが風力を受けて回転し、この回転を増速機により増速するなどして駆動される発電機により発電する装置である。
上述したロータヘッドは、風車用タワー（以下、「タワー」と呼ぶ）上に設置されてヨー旋回可能なナセルの端部に取り付けられ、略水平な横方向の回転軸線周りに回転可能となるように支持されている。
【０００３】
風力発電装置のナセル内には、一般的な装置構成として、風車翼から受けた機械的な回転力の伝達装置や発電装置が設置されている。このうち、回転力の伝達装置は、主軸受け及び増速機を備え、発電装置は、発電機、トランス、インバータ及び制御盤、もしくは、発電機及び制御盤を備えている。
このようなナセル内機器は、ナセル吸気口から吸気される外気を用い、熱源となる機器毎に設置された個別の熱交換器により外気と冷却媒体とを熱交換させ、外気に吸熱された冷却媒体を冷却対象機器に供給して冷却することが行われている。この場合、ナセル内に吸気される外気は、一般的にはフィルタを介して除塩及び除塵の処理が施されている。
【０００４】
ここで、外気と熱交換する冷却媒体の従来例について、発熱機器毎の具体例を図４に例示する。図４（ａ）において、図中の符号１は風力発電装置、２はタワー、３はナセル、４はロータヘッド、５は風車翼、６はナセル吸気口、７は排気口である。
また、図４（ｂ）は、ナセル３の壁面構造を示す要部拡大図である。一般的なナセル構造のナセル壁面は、複数に分割した繊維強化プラスチック（以下、「ＦＲＰ」と呼ぶ）製の壁面部材３ａを結合する外壁構造とされ、ナセル内部に設けたフランジ部３ｂをボルト・ナット８により結合する構造が採用されている。
【０００５】
このような風力発電装置１において、機械的な伝達装置を構成する主軸受９及び増速機１０の冷却には、外気と熱交換する冷却媒体として潤滑油循環系統を循環する潤滑油が用いられている。この場合、オイルクーラ１１で潤滑油と外気とを熱交換させ、外気に吸熱されて温度低下した潤滑油を回転部に供給して潤滑及び摩擦熱の冷却を行っている。
【０００６】
一方、発熱源となる電気機器類の冷却には、たとえばインバータ制御盤１２の場合、外気と熱交換する冷却媒体として不凍液が用いられ、発電機１３の場合、外気と熱交換する冷却媒体には一次系空気が用いられている。いずれの場合においても、外気に吸気された不凍液または一次系空気を冷却対象となる発熱源の電気器類に供給して循環させることにより、継続した冷却が行われている。なお、図中の符号１４はトランスである。
【０００７】
上述した外気は、ファン１５を運転することにより、ナセル吸気口６からナセル３の内部に流入する。この外気は、ナセル３の内部を流れて各種冷却媒体との熱交換やナセル内部を換気冷却した後、排気口７から外部へ流出する。
上述したナセル３の壁面部材３ａは、一般的に約１００ｍｍ程度の壁面厚さを有するＦＲＰ製であるから、ＦＲＰの熱抵抗が支配的となる。従って、ナセル３の内部空気温度に対して太陽光の入熱が及ぼす影響は、実質的に無視できることが多い。
【０００８】
下記の特許文献１には、高い遮熱性を有し、太陽光等の熱エネルギーを効率よく反射することにより、熱エネルギーの侵入を防ぐ遮熱塗料組成物及びその塗膜を有する構築物が開示されている。
また、特許文献２の風車には、回転する風車翼に鳥類が誤って衝突や接触することを防止するため、翼表面に紫外線反射塗料を塗布することが記載されている。
【先行技術文献】
【特許文献】
【０００９】
【特許文献１】特開２００６−３３５９４９号公報
【特許文献２】特開２００２−３９０５１号公報
【発明の概要】
【発明が解決しようとする課題】
【００１０】
ところで、太陽定数（地球大気表面の単位面積に垂直に入射する太陽のエネルギー量）は約１３７０Ｗ／ｍ２であり、従って、ナセル天井及び側面の受熱面積を８０ｍ２（ナセル高さ４ｍ、ナセル幅４ｍ、ナセル長さ５ｍ）の略直方体と仮定すると、大気透過率０．７とするとき、太陽からナセル壁面への入熱量は約７７ｋＷとなる。
【００１１】
一方、上述したＦＲＰ製のナセル３は、重量軽減のために壁面部材３ａの板厚を薄くすると、熱抵抗の低下により太陽光からナセル内部への入熱量が増大する。特に、夏季の日中においては、ナセル内空気温度が電子機器環境温度の上限を超え、電子機器類の寿命を低下させる原因となる。
すなわち、風力発電装置１のナセル３において壁面部材３ａの板厚を薄くすると、放熱抵抗が低減して放熱性能は向上する反面、同時に入熱抵抗も小さくなるので、太陽光からナセル内部への入熱量は増大する。
【００１２】
このように、壁面部材３ａの入熱抵抗と放熱抵抗とは相反する関係にあるが、現状の技術において、ナセル壁３ａの板厚を薄くして重量軽減を図りつつ、同時にナセル３の内部に対する入熱量の増大を抑制することは困難であった。
本発明は、上記の事情に鑑みてなされたものであり、ナセルの壁面厚さを薄くして軽量化を図るとともに、太陽光からナセル内への入熱量が増大することを抑制した風力発電装置の提供を目的とする。
【課題を解決するための手段】
【００１３】
本発明は、上記の課題を解決するため、下記の手段を採用した。
本発明の参考例に係る風力発電装置は、風車翼を取り付けたロータヘッドに連結されている駆動・発電機構がナセル内に収納設置されている風力発電装置において、太陽光を受ける外壁面の少なくとも一部に、中空セラミックビーズや高反射率顔料等を混ぜて近赤外域の反射率を高めた塗料を１００〜１５０μｍ程度の膜厚となるように塗布した高反射率塗料の塗布面が形成されていることを特徴とするものである。
【００１４】
このような風力発電装置によれば、太陽光を受ける外壁面の少なくとも一部に、中空セラミックビーズや高反射率顔料等を混ぜて近赤外域の反射率を高めた塗料を１００〜１５０μｍ程度の膜厚となるように塗布した高反射率塗料の塗布面が形成されているので、高反射率塗料の塗布面では、加熱に寄与する近赤外域を選択的に反射して入熱を抑制することができる。
高反射率塗料は、中空セラミックビーズや高反射率顔料等を混ぜることにより、一般的な塗料と比較して近赤外域（７８０ｎｍ〜２５００ｎｍ）の反射率を高めた塗料であり、１００〜１５０μｍ程度の膜厚となるように反射させたい面に塗布して使用する。
【００１５】
上記の発明において、前記外壁面は、ナセル外壁面、ロータヘッドカバー及びタワー壁面を包含しており、このような外壁面の少なくとも一部に高反射率塗料の塗布面が形成されていれば、太陽光からこれら内側への入熱を抑制することができる。
また、上記の発明において、前記ナセルの外壁面及び前記ロータヘッドのカバーは、少なくともいずれかが繊維強化プラスチックで形成され、該繊維強化プラスチック層に反射材の層を設けることが好ましく、これにより、高反射率塗料を塗装する塗装工程を別途施工する必要がなく、加熱に寄与する近赤外域を選択的に反射して入熱を抑制することができる。この場合、反射材の層は、強固なクリア層として形成したゲルコート層の内側に形成されていることが好ましく、これにより、エロージョンにより反射効果が損なわれることを抑制して長寿命化できる。
【００１６】
本発明に係る風力発電装置は、風車翼を取り付けたロータヘッドに連結されている駆動・発電機構が、壁面部材が強化繊維プラスチック製であるナセル内に収納設置されている風力発電装置において、太陽光を受けるナセル外壁面の天井部に、中空セラミックビーズ又は高反射率顔料の少なくとも一方を混ぜて、７８０ｎｍ〜２５００ｎｍの近赤外域で反射率を高めた高反射率塗料を塗布した天井部の過半を覆う反射板が、天井面から離して取り付けられていることを特徴とするものである。
【００１７】
このような風力発電装置によれば、太陽光を受けるナセル外壁面の天井部に、中空セラミックビーズ又は高反射率顔料の少なくとも一方を混ぜて、７８０ｎｍ〜２５００ｎｍの近赤外域で反射率を高めた高反射率塗料を塗布した天井部の過半を覆う反射板が天井面から離して取り付けられているので、太陽光を最も受けやすいナセル外壁面は、高反射率塗料の塗布面が加熱に寄与する近赤外域を選択的に反射して入熱を抑制することができる。このような反射板は、特に既設の風力発電装置に対する太陽光入熱対策として有効であり、排気口から流出するナセル内空気の流れを妨げることもない。
【００１８】
上記の発明において、前記反射板は、繊維強化プラスチックで形成され、該繊維強化プラスチック層に反射材の層を設けることにより、高反射率塗料を塗装する塗装工程を別途施工する必要がなく、加熱に寄与する近赤外域を選択的に反射して入熱を抑制することができる。この場合、反射材の層は、強固なクリア層として形成したゲルコート層の内側に形成されていることが好ましく、これにより、エロージョンにより反射効果が損なわれることを抑制して長寿命できる。
【発明の効果】
【００１９】
上述した本発明によれば、ナセルの壁面厚さを薄くして軽量化を図るとともに、太陽光からナセル内への入熱量を抑制した風力発電装置を提供することができる。すなわち、繊維強化プラスチック製のような壁面部材においては、入熱抵抗及び放熱抵抗は相反する関係にあるが、本発明では、ナセル壁の板厚を薄くして重量軽減を図り、同時に、高反射率塗料の塗布面や太陽光の反射面を形成してナセル内部に対する入熱量の増大を抑制することにより、入熱量の低減と放熱性の向上を実現している。
この結果、ナセル内空気温度の上昇が抑制され、ナセル内空気温度が電子機器環境温度の上限を超えて電子機器類の寿命を低下させることを防止できるので、風力発電装置の信頼性や耐久性の向上に大きな効果を有する。
【図面の簡単な説明】
【００２０】
【図１】本発明に係る風力発電装置の参考例を示す図で、（ａ）はナセル内部の概略構成例を示す要部の断面図、（ｂ）はナセル壁面断面構造を示す断面図である。
【図２】本発明に係る風力発電装置の一実施形態を示す図で、ナセル内部の概略構成例を示す要部の断面図である。
【図３】繊維強化プラスチック（ＦＲＰ）の表面に形成された太陽光の反射面を示す層構造の断面図である。
【図４】風力発電装置の従来構造を示す図で、（ａ）はナセル内部の概略構成例を示す要部の断面図、（ｂ）はナセル壁面断面構造を示す断面図である。
【発明を実施するための形態】
【００２１】
以下、本発明に係る風力発電装置の一実施形態を図面に基づいて説明する。
最初に、図１（ａ），（ｂ）に基づいて、参考例を説明する。図１（ａ）において、風力発電装置１Ａは、基礎上に立設されるタワー２と、タワー２の上端に設置されるナセル３と、略水平な軸線周りに回転可能にしてナセル３に設けられるロータヘッド４とを備えている。
ロータヘッド４には、その回転軸線周りに放射状にして複数枚（たとえば３枚）の風車翼５が取り付けられている。これにより、ロータヘッド４の回転軸線方向から風車翼５に当たった風の力が、ロータヘッド４を回転軸線周りに回転させる動力に変換されるようになっている。なお、図示の風力発電装置１Ａは、ナセル３の前方で風車翼５が回転するアップウインド型と呼ばれるものであるが、以下に説明する参考例は、たとえばダウンウインド型にも適用可能であり、これに限定されることはない。
【００２２】
ナセル３の内部には、ロータヘッド４の回転を発電機１３に伝達する機械的な駆動力伝達機構として、主軸受９及び増速機１０が設けられている。
さらに、ナセル３の内部には、発電機１３による発電機構を構成する各種電気機器類として、インバータ制御盤１２や発電機１３で発電された電力を変圧するトランス１４等が設置されている。
このように、風力発電装置１Ａは、風車翼５を取り付けたロータヘッド４に連結されている駆動・発電機構がナセル３の内部に収納設置されている。このような駆動・発電機構は、運転により発熱する機器類や、環境温度が定められた機械部品や電子機器類を含んでいる。
【００２３】
ナセル３は、図示しないナセル台板及び骨格形成部材の周囲を壁面部材３ａにより覆われた略直方体形状を有する中空部材である。壁面部材３ａは、たとえば繊維強化プラスチック（ＦＲＰ）製の板状部材であり、この壁面部材３ａがナセル３の外壁面を形成している。
ナセル３の前端面下方には、ナセル３の内部に冷却用の外気を導入するため、壁面部材３ａに開口するナセル吸気口６が設けられている。このナセル吸気口６には、除塩や除塵の機能を備えたフィルタが取り付けられている。また、ナセル３の上面には、ナセル３の内部を循環した冷却用の外気を大気へ流出させるため、壁面部材３ａの開口に雨よけ７ａを取り付けた排気口７が設けられている。
【００２４】
ナセル吸気口６からファン１５の運転により導入される外気は、従来技術で説明したように、ナセル３の内部に設置された発熱機器類を冷却する冷却媒体との熱交換等に使用された後、温度上昇して排気口７から大気へ放出される。
なお、図中の矢印Ｃａは外気主流の一例を示すものであり、実際の外気流れは、ナセル３内に設置された熱交換器の配置等に応じて、ナセル３の内部を循環して流れるようになっている。
【００２５】
このように、風車翼５を取り付けたロータヘッド４に連結されている駆動・発電機構がナセル３内に収納設置されている風力発電装置１Ａにおいては、太陽光を受ける外壁面の少なくとも一部に、高反射率塗料の塗布面２０が形成されている。図示の構成例では、ナセル３の天井（雨よけ７ａの外面を含む）及び側面（両側面及び後端面）の外面に塗布面２０が形成されている。
高反射率塗料は、中空セラミックビーズや高反射率顔料等を混ぜることにより、一般的な塗料と比較して近赤外域（７８０ｎｍ〜２５００ｎｍ）の反射率を高めた塗料である。この高反射率塗料は、１００〜１５０μｍ程度の膜厚となるように塗布し、太陽光を反射させたい面に塗布面２０を形成して使用する。
【００２６】
高反射率塗料の反射率は、一般的に０．８〜０．９程度である。
一方、太陽定数を約１３７０Ｗ／ｍ２とし、略直方体としたナセル３の天井及び側面の受熱面積を８０ｍ２（ナセル高さ４ｍ、ナセル幅４ｍ、ナセル長さ５ｍ）と仮定すれば、大気透過率０．７とするとき、太陽からナセル壁面への入熱量は約７７ｋＷとなる。
このような場合、高反射率塗料の塗布面２０を形成することにより、ナセル３の内部に対する入熱量は７７ｋＷから８〜１６ｋＷ程度まで大幅に低下する。このため、ナセル３の壁面部材３ａは、入熱抵抗を大きくするために厚くする必要がなくなる。
【００２７】
たとえば、ナセル３の壁面部材３ａに用いられるＦＲＰの熱伝導率を０．３Ｗ／ｍｋ、壁面部材３ａの厚みを１０ｃｍとすれば、熱抵抗は３Ｗ／ｍ２Ｋである。高反射率塗料の塗布後は、太陽光からの入熱が１／１０〜１／５程度に低減されるので、同じ熱抵抗とするために必要な壁面部３ａの厚さは１〜２ｃｍ程度で十分である。従って、このような壁面部３ａの厚さ低減により、ナセル３の壁面重量を低減し、コストダウンが可能になる。
このような塗布面２０の形成は、最も太陽熱を受けやすいナセル３の天井外面のみとしても、十分な入熱量の低減効果が得られる。
【００２８】
このように、上述した高反射率塗料の塗布面２０は、太陽光を受けるナセル３の外壁面全面（天井面、両側面及び後端面）に限定されることはなく、天井面あるいは側面のみとしてもよい。すなわち、ナセル３の外壁面において、少なくとも一部に高反射率塗料の塗布面２０が形成されていれば、入熱量の低減効果が得られる。
また、上述した高反射率塗料の塗布面２０は、ナセル３の外壁面に限定されることはなく、たとえばロータヘッド４のカバーやタワー２の壁面のように、太陽光を受ける他の外壁面に形成して入熱量を低減してもよい。このように、ナセル３との接続部を有する外壁面の少なくとも一部に高反射率塗料の塗布面２０が形成されていれば、太陽光からナセル３内への入熱を抑制することができる。
【００２９】
このような風力発電装置１Ａによれば、太陽光を受ける外壁面の少なくとも一部に高反射率塗料の塗布面２０が形成されているので、高反射率塗料の塗布面２０では、加熱に寄与する近赤外域のみを選択的に反射して入熱を抑制することができる。
このため、ナセル３の壁面厚さを薄くして軽量化を図るとともに、太陽光からナセル３内への入熱量を抑制することができる。
【００３０】
すなわち、ＦＲＰ製のような壁面部材３ａにおいては、入熱抵抗及び放熱抵抗は相反する関係にあるが、上述した塗膜面２０を形成することにより、ナセル壁３ａの板厚を薄くして重量の軽減及び放熱性の向上を図り、同時に、高反射率塗料の塗布面２０を形成してナセル３の内部に対する入熱量の増大を抑制し、入熱量の低減を実現している。
この結果、ナセル３においては、ナセル内空気温度の上昇が抑制され、ナセル内空気温度が電子機器環境温度の上限を超えて電子機器類の寿命を低下させることを防止できるようになるので、風力発電装置１Ａの信頼性や耐久性が向上する。
【００３１】
続いて、本発明に係る風力発電装置について、一実施形態を図２に基づいて説明する。なお、上述した参考例と同様の部分には同じ符号を付し、その詳細な説明は省略する。
図２に示す風力発電装置１Ｂのナセル３は、太陽光を受けるナセル外壁面の天井部に、上面に高反射率塗料を塗布した反射板３０がサポート材３１により取り付けられている。この反射板３０は、排気口７から流出するナセル内空気の流れを妨げないように、サポート材３１により天井面から離して取り付けられている。
【００３２】
サポート材３１の上面には、上述した参考例と同様の高反射率塗料を塗布して形成された塗布面２０を備えている。
このような風力発電装置１Ｂは、太陽光を最も受けやすいナセル３の天井部に塗布面２０を形成した反射板３０が取り付けられているので、ナセル３の外壁面天井部では、高反射率塗料の塗布面２０が加熱に寄与する近赤外域を選択的に反射して入熱を抑制することができる。
【００３３】
このような反射板３０の取付作業は、既設の風力発電装置１Ｂにおいて同じ高所作業となる塗装作業と比較すると、安全性や工事費用の点で有利になる。すなわち、既設のナセル３に反射板３０を取り付ける場合、高反射率塗料の塗布は地上で実施できるため、高所作業は設置工事のみとなる。従って、本実施形態の反射板３０は、特に既設の風力発電装置１Ｂに対する太陽光入熱対策として有効である。
なお、図示の風力発電装置１Ｂは、反射板３０の上面以外に高反射率塗料の塗布面２０はないが、必要に応じてナセル３の側面等に塗布面２０を形成してもよい。
【００３４】
ところで、上述した参考例及び実施形態では、ナセル３の外壁面等に高反射率塗料の塗布面２０を形成していたが、高反射率塗料に代えて、以下に説明する太陽光の反射面を形成してもよい。
図３は、ＦＲＰの表面に形成された太陽光の反射面４０を示す層構造の断面図である。この場合、ナセル３の外壁面等をＦＲＰ製とし、その外表面側に太陽光を反射する反射面４０が形成されている。
【００３５】
反射面４０は、ＦＲＰ４１の表面にセラミックビーズ層４２及びクリア層４３を形成したものである。すなわち、ＦＲＰ４１の外表面とクリア層４３との間に、加熱に寄与する近赤外域を選択的に反射して入熱を抑制する中空セラミックビーズ等の反射材を配置したセラミックビーズ層４２を設け、太陽光を反射する反射面４０を形成したものである。
【００３６】
このような反射面４０は、ナセル３の外壁面や反射板３０となるＦＲＰ４１を成形して製造する際に、反射面４０の形成もＦＲＰ４１の製造と同時に実施できる。このため、高反射率塗料を塗装する塗装工程を別途施工する必要がなく、ＦＲＰ４１で製造される部材表面に対して反射面４０を一体的に形成することができる。
また、このような反射面４０は、強固なクリア層４３として形成したゲルコート層の内側に反射材のセラミックビーズ層４２が形成されているので、エロージョンにより反射効果が損なわれることを抑制して長寿命化することができる。
但し、コストダウンを優先する場合、クリア層は必ずしも必要としない。また、反射面４０は、セラミックビーズだけでなく、高反射率の顔料などを混ぜて形成してもよい。
【００３７】
このように、上述した参考例及び実施形態の風力発電装置１Ａ，１Ｂによれば、ナセル３の壁面厚さを薄くして軽量化を図るとともに、ナセル３の内部に対する入熱量の増大を抑制することができる。
なお、本発明は上述した実施形態に限定されることはなく、その要旨を逸脱しない範囲内において適宜変更することができる。
【符号の説明】
【００３８】
１Ａ，１Ｂ    風力発電装置
３    ナセル
４    ロータヘッド
５    風車翼
２０    塗布面
３０    反射板
４０    反射面
【図１】
0005517786.tif 000002
【図２】
0005517786.tif 000003
【図３】
0005517786.tif 000004
【図４】
0005517786.tif 000005